(57)【要約】【課題】最適な再生レーザパワーを決定し、かつ、安定した超解像再生を実現する。【解決手段】光学系の解像限界より短い長さの記録マークを含む情報記録層が複数積層された光情報記録媒体を再生する光情報記録媒体再生装置（１０）において、再生レーザ入射面に最も近い情報記録層を再生する再生レーザパワーが、再生レーザ入射面から最も遠い情報記録層を再生する再生レーザパワーより小さく、かつ、光情報記録媒体再生装置（１０）が必要とする再生信号特性を満たす最小の再生レーザパワー以上に設定されている。これにより、再生レーザ入射面に近い情報記録層を再生するときに、該情報記録層に誤って高い再生レーザパワーの再生レーザを照射してしまうことを防ぐことができ、良好な再生品質を得ることができる。すなわち、最適な再生レーザパワーを決定し、安定した超解像再生が可能な光情報記録媒体再生装置（１０）を実現できる。【選択図】図１
2010225277.tif 000002
【特許請求の範囲】
【請求項１】
再生レーザ入射面に最も近い情報記録層に対しては、入射面から最も遠い情報記録層に対するよりも小さいパワーの再生レーザを照射する光情報記録媒体再生方法であって、
光情報記録媒体に記録されている媒体各層の再生レーザパワーの設定に関する情報を読み出す段階と、
読み出した上記情報に基づいて、上記再生レーザ入射面から最も遠い情報記録層に対して照射する再生レーザパワーを設定する段階とを備える光情報記録媒体再生方法。
【発明の詳細な説明】
【技術分野】
【０００１】
本発明は、超解像再生技術を用いて光情報記録媒体を再生する光情報記録媒体再生方法に関する。
【背景技術】
【０００２】
近年、高度情報化、情報通信およびマルチメディア技術の発展によって、光情報記録媒体の高密度化、大容量化の要求が高まっている。
【０００３】
その要求に応える技術として、情報記録層を多層化する多層化技術や、光情報記録媒体再生装置が有する解像限界の長さより短い記録マークの再生を可能とする再生膜を用いた超解像技術等がある。
【０００４】
まず、多層化技術について説明する。はじめに、多層化技術の中でも、単純な構造の２層化技術について説明する。なお、２層光情報記録媒体は、例えば、特許文献１に示されているように、再生レーザ入射面側より順に、第１情報記録層、第２情報記録層を設け、中間層により各情報記録層を分離した構造となっている。また、第１記録層は再生光が透過する半透明層になっているため、再生レーザ入射面から入射した再生レーザが、各情報記録層にフォーカス可能で、それぞれの記録層において情報の記録／再生ができる。したがって、この２層化技術を用いれば、上記光情報記録媒体の情報記録容量を、単純計算で、約２倍にすることが可能である。
【０００５】
なお、３層以上の情報記録層をもつ光情報記録媒体の構造に関しても、上記の２層化技術の例と同様に、再生レーザ入射面より、第１記録層、第２記録層、第３記録層、…、第ｎ記録層と順に情報記録層を設け、中間層により各情報記録層を分離するという構造を採用できる。
【０００６】
また、上記光情報記録媒体については、超解像技術を用いたものではなく、各層に記録された最短の記録マーク長は、光情報記録媒体再生装置が有する解像限界の長さより長いものである。
【０００７】
次に、超解像技術について説明する。超解像技術とは、再生光学系における光学的な分解能の限界（以下、光回折限界と称する。）以下の記録マーク長の信号を再生する技術である。より具体的には、光源から照射される光の波長をλ、光スポットを形成するための対物レンズの開口数をＮＡとすると、光スポット径は、ほぼλ／ＮＡで表される。
【０００８】
この光回折限界以下の記録マーク長の記録マークを記録／再生する技術を超解像技術と呼ぶ。また、この超解像技術を用いた光情報記録媒体を再生することを超解像再生と呼ぶ。
【０００９】
また、光スポット系の１／４であるλ／（４ＮＡ）程度の長さが、超解像技術を用いない従来の光情報再生装置の解像限界となることが知られている。以下では、この限界のことを単純に解像限界と呼ぶ。なお、実際には、理論以外にも光学系内の他要素の影響を受けるので、解像限界の値は波長および開口数から求められる理論値からある程度の差を生じる場合がある。
【００１０】
上記のように超解像技術を用いれば、解像限界を超える記録マーク長の記録マークを記録／再生することが可能となるので光情報記録媒体の情報記録容量を向上させることができる。
【００１１】
特許文献２において、超解像技術として、Ｓｕｐｅｒ−ＲＯＭといわれる情報の再生に寄与する凹凸形状のプリピットの超解像技術を用いた超解像光情報記録媒体が提案されている。
【００１２】
この超解像光情報記録媒体は、現在のところ再生メカニズムの詳細は解明されていないが、再生専用型ディスクの反射膜に、従来用いられてきたＡｌやＡｕの代わりにＭｏ，Ｗ，Ｓｉ，Ｇｅ等を用いることにより、従来の光学系では再生できなかった解像限界より小さな記録ピット長の信号の再生が可能となるものである。
【００１３】
また、前述の多層化技術と超解像技術とを併せた、すなわち、多層光情報記録媒体の各情報記録層に超解像技術を利用する技術、いわゆる多層超解像技術が、さらなる情報記録容量の増加を可能とする技術として期待されている。ここで、上記多層化技術としては前述の２層化技術を応用し、適用することができる。いうなれば２層超解像技術というべきものである。
【先行技術文献】
【特許文献】
【００１４】
【特許文献１】日本国公開特許公報「特開２００７−０２６５０３号公報（２００７年２月１日公開）」
【特許文献２】日本国公開特許公報「特開２００１−２５０２７４号公報（２００１（平成１３）年９月１４日公開）」
【特許文献３】日本国公開特許公報「特開２００４−３６２７１８号公報（２００４（平成１６）年１２月２４日公開）」
【発明の概要】
【発明が解決しようとする課題】
【００１５】
ところで、一般的に、超解像技術において超解像再生を可能にするためには、通常より高い再生レーザパワーを必要とする。超解像技術の一例として、情報記録層の上に、いわゆるマスク層を設けるマスク型超解像技術がある。
【００１６】
このマスク方超解像技術には、その特性の違いによって、ヒートモード方式とフォトンモード方式の２つの方式があるが、ヒートモード方式であってもフォトンモード方式であっても、マスク領域やアパーチャー領域を作るのに、媒体中に高温や大きな光量が必要とする。そのために通常より高い再生レーザパワーが必要となる。また、マスク型超解像技術ではない他の超解像技術、例えば特許文献２に記載の超解像技術においても、通常より高い再生レーザパワーが必要であることが報告されている。
【００１７】
一方で、不適切に高い再生レーザパワーで、情報記録層を再生することは、記録マークの破壊につながる。
【課題を解決するための手段】
【００１８】
本発明は、上記の問題点に鑑みてなされたものであり、その目的は、高密度な光情報記録媒体である多層超解像光情報記録媒体を、安定して再生する光情報記録媒体再生方法を提供することを目的としている。
【００１９】
上記課題を解決するために、本発明に係る光情報記録媒体再生方法は、再生レーザ入射面に最も近い情報記録層に対しては、入射面から最も遠い情報記録層に対するよりも小さいパワーの再生レーザを照射する光情報記録媒体再生方法であって、光情報記録媒体に記録されている媒体各層の再生レーザパワーの設定に関する情報を読み出す段階と、
読み出した上記情報に基づいて、上記再生レーザ入射面から最も遠い情報記録層に対して照射する再生レーザパワーを設定する段階とを備えることを特徴としている。
【００２０】
本発明の他の目的、特徴、および優れた点は、以下に示す記載によって充分に分かるであろう。また、本発明の利点は、添付図面を参照した次の説明で明白になるであろう。
【発明の効果】
【００２１】
本発明によれば、高密度な光情報記録媒体である多層超解像光情報記録媒体を、安定して再生することができる。
【図面の簡単な説明】
【００２２】
【図１】本発明における実施形態を示すものであり、光情報記録媒体再生装置の制御部の要部構成を示すブロック図である。
【図２】本発明における実施形態を示すものであり、光情報記録媒体再生装置の概略構成を示すブロック図である。
【図３】本発明における例示的な２層光情報記録媒体の概略構成を示す断面図である。
【図４】本発明における参考例１に係る光情報記録媒体再生装置が示すジッタについての再生レーザパワーの依存性である。
【図５】本発明におけるディスク＃１および比較例１に係る光情報記録媒体の再生時に計測されるｂＥＲについての再生レーザパワー依存性である。
【図６】本発明におけるディスク＃２および比較例２に係る光情報記録媒体の再生時に計測されるＣＮＲについての再生レーザパワー依存性である。
【図７】本発明におけるディスク＃１に係る光情報記録媒体の第１情報記録層が示す規格化反射率の再生回数依存性である。
【発明を実施するための形態】
【００２３】
本発明の実施の形態について図１〜図７に基づいて説明すれば、以下の通りである。
【００２４】
（光情報記録媒体再生装置について）
図２は、本実施の形態に係る光情報記録媒体再生装置の概略構成の一例を示したブロック図である。同図に示される、光情報記録媒体再生装置１０は、光情報記録媒体１００を光学的に再生可能なものである。上記光情報記録媒体１００は、２層超解像光情報記録媒体１００ａでもよいし、２層超解像光情報記録媒体以外の通常の光情報記録媒体１００ｂでもよい。
【００２５】
なお、本実施の形態においては、光情報記録媒体再生装置１０が再生する多層超解像光情報記録媒体の一例として２層超解像光情報記録媒体１００ａを再生する例について説明するが、これに限られず、３層以上の情報記録層を有した超解像光情報記録媒体を再生してもよい。また、光情報記録媒体再生装置１０が再生する通常の光情報記録媒体１００ｂについても、２層以上の情報記録層を有した光情報記録媒体を再生するようにしてもよい。
【００２６】
光情報記録媒体再生装置１０は、図２に示すように、レーザ制御回路１４Ａ、信号処理回路１４Ｂ、ヘッドアンプ１６、ＲＦアンプ１７Ａ、ＲＦ信号の信号処理回路１７Ｂ、サーボ処理回路１８、制御部１９、スピンドルモータ２０、光ピックアップ２１、光ピックアップ用モータ２２を備えている。光ピックアップ２１は、偏光ビームスプリッタ１２、レーザ光源１３、および検出器１５を備えている。
【００２７】
光情報記録媒体再生装置１０は、まず、スピンドルモータ２０により光情報記録媒体１００を回転させ、制御部１９により光ピックアップ用モータ２２を制御して光ピックアップ２１を移動させる。次に、レーザ制御回路１４Ａによりレーザ光源１３から再生レーザ光を出射させる。
【００２８】
信号処理回路１４Ｂは、レーザ制御回路１４Ａが利用する信号を生成するためのものである。例えば、光情報記録媒体再生装置１０が、光情報記録媒体の記録機能を備えている場合、記録用信号を生成して、レーザ制御回路１４Ａが該記録用信号を用いてレーザ光源１３を制御する。
【００２９】
この再生レーザ光が、偏光ビームスプリッタ１２を介して、光情報記録媒体１００に照射され、光情報記録媒体１００からの反射光が、再び偏光ビームスプリッタ１２を介して検出器１５に到達する。光ピックアップ２１には図示しない対物レンズを有しており、レーザ光源１３のレーザ波長および対物レンズの開口数としては、例えばＢｌｕ−ｒａｙ  Ｄｉｓｃ（登録商標）再生装置で用いられるレーザ波長は略４０５ｎｍであり、対物レンズの開口数は略０．８５である。
【００３０】
検出器１５は、到達した反射光に基づいて電気信号を出力し、該電気信号は、ヘッドアンプ１６にて増幅され、サーボ処理回路１８に送られ、各種のサーボ制御が行われる。また、該電気信号は、ＲＦアンプ１７Ａにてさらに増幅され信号処理回路１７Ｂに送られる。そして、該電気信号は、信号処理回路１７Ｂ経由して、制御部１９へ送られる。
【００３１】
（光情報記録媒体再生装置の制御部について）
次に、図１を参照しながら、光情報記録媒体再生装置１０の制御部１９について詳細に説明する。図１は、制御部１９の要部構成を示しているブロック図である。図示のように、制御部１９は、アクセス位置制御部２３、信号処理部２４、媒体識別部２５、パワー制御部２６、および再生クロック制御部２７を備えている。
【００３２】
アクセス位置制御部２３は、光情報記録媒体１００の所望の位置に光ピックアップ２１がアクセスするように、光ピックアップ用モータ２２を制御する。
【００３３】
信号処理部２４は、ヘッドアンプ１６より送られる媒体識別信号を処理し、媒体識別部２５に与える。媒体識別部２５は、信号処理部２４により与えられた上記媒体識別信号に基づいて、光情報記録媒体１００が２層超解像光情報記録媒体１００ａであるか否か等の識別を行う。
【００３４】
パワー制御部２６は、媒体識別部２５による光情報記録媒体１００の識別結果に基づいて、２層超解像光情報記録媒体１００ａであると識別すれば、レーザ制御回路１４Ａを制御して、再生レーザパワーを設定する。具体的には、第１情報記録層を再生するときは、第１情報記録層の再生レーザパワーＰｒ１に設定し、第２情報記録層を再生するときは、第２情報記録層の再生レーザパワーＰｒ２に設定する。上記第１情報記録層の再生レーザパワーＰｒ１および第２情報記録層の再生レーザパワーＰｒ２について、詳しくは後述する。
【００３５】
再生クロック制御部２７は、媒体識別部２５による光情報記録媒体１００の識別結果に基づいて、信号処理回路１７Ｂにて利用される再生クロックを通常の光情報記録媒体１００ｂに適した再生クロックとするか、あるいは、超解像光情報記録媒体１００ａに適した再生クロックに切り替える。
【００３６】
ここで、図３を参照しながら、超解像光情報記録媒体１００ａについて説明する。図３は、２層情報記録媒体の概略構成を示す断面図である。ここでは、例示的に超解像光情報記録媒体１００ａは２層超解像光情報記録媒体であるものとする。超解像光情報記録媒体１００ａは、透光層１０１ａと、第１情報記録層１０２ａ、中間層１０３ａと、第２情報記録層１０４ａと、基板１０５ａからなる。
【００３７】
そして、再生クロック制御部２７より送られてきた再生クロックと、信号処理回路１７Ｂを介してＲＦアンプ１７Ａより送られてきた電気信号を用いて、光情報記録媒体再生装置１０は、光情報記録媒体１００に記録された情報を再生する。
【００３８】
また、超解像光情報記録媒体１００ａを再生する場合に、第１情報記録層１０２ａと第２情報記録層１０４ａとのうちいずれの情報記録層をフォーカスするかについて説明すると、以下の通りである。サーボ処理回路１８で利用されるフォーカスエラー信号は、光ピックアップ２１の図示しない対物レンズを超解像光情報記録媒体１００ａから離れた位置からフォーカス方向に順次移動させてフォーカスサーチ処理を行うことで、各情報記録層を通過する毎にＳ字特性を描く。そのＳ字特性をカウントし、それを反映して光ピックアップ２１を制御することにより、第１情報記録層１０２ａと第２情報記録層１０４ａの選択を行う。
【００３９】
（光情報記録媒体の媒体識別方法について）
次に、光情報記録媒体再生装置１０が、これから再生しようとする光情報記録媒体１００が、２層超解像光情報記録媒体１００ａか否かを識別する媒体識別方法について述べる。
【００４０】
まず、光情報記録媒体１００に、所定の方法で、当該光情報記録媒体１００が２層超解像光情報記録媒体１００ａであるか否かを示す媒体情報を付加しておく方法が挙げられる。
【００４１】
具体的には、２層超解像光情報記録媒体１００ａに、光情報記録媒体再生装置１０の有する解像限界以上の記録マーク長の記録マークにより、再生する光情報記録媒体が２層超解像光情報記録媒体１００ａであることを示す媒体情報を記録しておく。そして、通常の光情報記録媒体１００ｂで利用する低い再生レーザパワーにて、上記媒体情報を再生し、該媒体情報に基づいて、当該光情報記録媒体１００が２層超解像光情報記録媒体１００ａであるか否かを判定することが可能である。
【００４２】
これにより、誤って高い再生レーザパワーで第１情報記録層や第２情報記録層にフォーカスしてしまい、各層を不可逆的に再生不可としてしまうことを防ぐことができる。また、上記媒体情報は、媒体情報を現すバーコードを光情報記録媒体１００の内径穴の近傍部に形成することによって記録されてもよい。
【００４３】
あるいは、スピンドルモータ２０により光情報記録媒体１００を回転させる前に、媒体情報を判定する媒体判定手段を用いてもよい。例えば、光情報記録媒体１００の一部、または光情報記録媒体１００を収容するカートリッジの一部の切り欠き等によって、それを機械的に認識する方法等が考えられる。
【００４４】
上記の方法によって予め媒体情報が認識され、２層超解像光情報記録媒体１００ａを再生する場合、まず、光情報記録媒体再生装置１０が、２層超解像光情報記録媒体１００ａ用の再生レーザパワーで再生を行う。そして、その他の超解像光情報記録媒体に関する情報（アドレス情報や後述する第１情報記録層の最小再生レーザパワーＰｒ１ｍｉｎ等）を読み出す。上記その他の超解像光情報記録媒体に関する情報は、光情報記録媒体再生装置１０の有する解像限界以下の記録マーク長を含むパターンで再生可能であるため、その他の超解像光情報記録媒体に関する情報を含め、より高密度化が可能となる。また、後述の第１情報記録層の再生レーザパワーＰｒ１、第２情報記録層の再生レーザパワーＰｒ２の情報が上記媒体判定手段で判定できてもよい。
【００４５】
このとき、２層超解像光情報記録媒体の再生開始時は、第１情報記録層から再生することが好ましい。これにより、再生開始時に誤って高い再生レーザパワーである第２情報記録層の再生レーザパワーＰｒ２で第１情報記録層を再生し、第１情報記録層を不可逆的に再生不可能な状態としてしまうことを防ぐことが可能となる。
【００４６】
ただし、再生開始時に第１情報記録層から再生することが好ましいのは、２層超解像光情報記録媒体に関してのみで、ｎが３以上のｎ層超解像光情報記録媒体においてはその限りではない。
【実施例】
【００４７】
（光情報記録媒体について）
次に、本実施の形態に係る光情報記録媒体再生装置１０で再生される超解像光情報記録媒体１００ａおよび通常の光情報記録媒体１００ｂについて説明する。
【００４８】
従来の２層光情報記録媒体の、一例としては、図３に示す構造を有する参考例１の２層光情報記録媒体１００ｃが挙げられる。
【００４９】
〔参考例１〕
従来の光情報記録媒体再生装置において、従来の２層光情報記録媒体を再生する場合について図３を参照して説明する。ここでは、光情報記録媒体再生装置が光情報記録媒体を再生する一例として、従来の情報記録層を２層有する光情報記録媒体である２層光情報記録媒体１００ｃを再生する場合について説明する。同図に示すように、２層光情報記録媒体１００ｃは、透光層１０１ｃと、第１情報記録層１０２ｃと、中間層１０３ｃと、第２情報記録層１０４ｃと、基板１０５ｃとからなり、再生レーザ入射面より、この順に積層された構造となっている。
【００５０】
透光層１０１ｃは透明樹脂層（膜厚７５μｍ）で形成されて、第１情報記録層１０２ｃは半透明反射膜（Ａｕ、膜厚１５ｎｍ）で形成されて、中間層１０３ｃは透明紫外線硬化樹脂層（膜厚２５μｍ）で形成されて、第２情報記録層１０４ｃは反射膜（Ａｕ、膜厚５０ｎｍ）で形成され、基板１０５ｃは樹脂基板で形成されている。
【００５１】
また、参考例１の光情報記録媒体再生装置において再生する２層光情報記録媒体１００ｃの中間層１０３ｃおよび基板１０５ｃには、図示しない凹および／または凸からなるプリピットが設けられており、これらのプリピット上に半透明反射膜および反射膜が積層されることにより、半透明反射膜および反射膜に凹凸が転写された状態となり、第１情報記録層１０２ｃおよび第２情報記録層１０４ｃに記録マークとしてのプリピットが形成されている。
【００５２】
したがって、上記２層光情報記録媒体１００ｃはいわゆる再生専用光情報記録媒体である。また、参考例１の２層光情報記録媒体１００ｃのプリピット、すなわち記録マークは、Ｂｌｕ−ｒａｙ Ｄｉｓｃ（登録商標）で採用されている１−７ＰＰ変調方式に基づいた記録パターンで形成されており、最短記録マーク長である２Ｔマーク長は１４９ｎｍである。ここで、Ｔは、クロック１周期分の時間を表す。
【００５３】
この参考例１の２層光情報記録媒体１００ｃにおける第１情報記録層１０２ｃおよび第２情報記録層１０４ｃのジッタの再生レーザパワー依存性を、青色レーザ光の波長である波長４０５ｎｍ半導体レーザと、ＮＡ（開口数）０．８５の光学系を有するディスク測定機にて測定した結果が図４である。
【００５４】
ジッタとは、再生信号の時間軸方向の揺らぎを示す指標のことである。そのため、ジッタは、媒体の再生信号特性を表す指標の一つとなるものであり、小さい値ほどよい再生信号特性であることを表す。一般的に媒体の再生信号特性としてはジッタが良く使われる。
【００５５】
また、図４における太い点線が示す閾値３０は、一般的に光情報記録媒体再生装置が安定して光情報記録媒体１００に記録された情報を正しく読み取ることのできるジッタ値の閾値、すなわち、光情報記録媒体再生装置が、光情報記録媒体１００を、安定して再生するために必要とするジッタの閾値である。
【００５６】
図４に示すとおり、２層光情報記録媒体１００ｃの第１情報記録層１０２ｃおよび第２情報記録層１０４ｃが示すジッタはともに再生レーザパワーに依存せずほぼ一定であり、かつ、上述の閾値３０以下である。光情報記録媒体再生装置の再生レーザパワーは、ジッタ値が上述の閾値３０以下となる再生レーザパワーであればよいので、参考例１の場合にみられる再生信号特性を示す２層光情報記録媒体１００ｃの場合、第１情報記録層１０２ｃおよび第２情報記録層１０４ｃの再生レーザパワーともに広いレーザパワー範囲から選択することが可能である。
【００５７】
（従来の光情報記録媒体再生装置における再生レーザパワーについて）
従来の光情報記録媒体再生装置においては、第１情報記録層１０２ｃと第２情報記録層１０４ｃとを再生する際の再生レーザパワーは等しく設定されている。例えば図４中では０．７ｍＷ等の値を、第１情報記録層１０２ｃと第２情報記録層１０４ｃの再生レーザパワーとして採用することができる。
【００５８】
これは、第１情報記録層１０２ｃと第２情報記録層１０４ｃとを再生する際の再生レーザパワーが異なると、ＡＰＣ（オートパワーコントロール）等による再生レーザパワー制御が複雑になったり、光情報記録媒体再生装置において同一の再生回路で第１情報記録層１０２ｃと第２情報記録層１０４ｃを再生することが難しくなったりする等の理由からである。
【００５９】
このように、従来の２層光情報記録媒体１００ｃを再生する光情報記録媒体再生装置、では第１情報記録層および第２情報記録層を再生する際の再生レーザパワーは等しい。
【００６０】
本発明の発明者は、多層超解像光情報記録媒体を用いて、レーザパワーの違いによる再生信号特性をＣＮＲ、ジッタ、ｂＥＲなどの指標で評価し、従来の実用化されている２層光情報記録媒体を再生する光情報記録媒体再生装置のように、第２情報記録層の再生レーザパワーと等しい再生レーザパワーで第１情報記録層を再生すると、第１情報記録層が劣化することを見出した。
【００６１】
〔２層超解像光情報記録媒体〕
多層超解像光情報記録媒体の一例として、以下の２層超解像光情報記録媒体であるディスク＃１およびディスク＃２を挙げ、詳細を示す。なお、ディスク＃１およびディスク＃２の構造については参考例１と同様、図３の構造を参照して説明する。
【００６２】
〔ディスク＃１〕
ディスク＃１としての２層超解像光情報記録媒体１００ｄは、透光層１０１ｄと、第１情報記録層１０２ｄと、中間層１０３ｄと、第２情報記録層１０４ｄと、基板１０５ｄとからなり、再生レーザ入射面より、この順に積層された構造となっている。
【００６３】
透光層１０１ｄは透明樹脂層（膜厚７５μｍ）で形成され、第１情報記録層１０２ｄは温度感応層（酸化亜鉛、膜厚６０ｎｍ）および光吸収層（Ｔａ、膜厚７．５ｎｍ）で形成され、中間層１０３ｄは透明紫外線硬化樹脂層（膜厚２５μｍ）で形成され、第２情報記録層１０４ｄは温度感応層（酸化亜鉛、膜厚６０ｎｍ）および光吸収層（Ｔａ、膜厚１５ｎｍ）で形成され、基板１０５ｄは樹脂基板で形成されている。２層超解像光情報記録媒体１００ｄに使用した超解像技術は特許文献３に記載の技術に基づいて形成したものである。
【００６４】
〔ディスク＃２〕
ディスク＃２としての２層超解像光情報記録媒体１００ｅは、透光層１０１ｅと、第１情報記録層１０２ｅと、中間層１０３ｅと、第２情報記録層１０４ｅと、基板１０５ｅとからなり、再生レーザ入射面より、この順に積層された構造となっている。
【００６５】
透光層１０１ｅは透明樹脂層（膜厚７５μｍ）で形成され、第１情報記録層１０２ｅは機能層（Ｓｉ、膜厚５ｎｍ）で形成され、中間層１０３ｅは透明紫外線硬化樹脂層（膜厚２５μｍ）で形成され、第２情報記録層１０４ｅは機能層（Ｓｉ、膜厚５０ｎｍ）で形成され、基板１０５ｅは樹脂基板で形成されている。２層超解像光情報記録媒体１００ｅに使用した超解像技術は特許文献２に記載のものである。
【００６６】
〔比較例１・比較例２〕
比較のため光情報記録媒体再生装置１０において以下の性質をもつ光情報記録媒体を再生した結果について説明する。２層超解像光情報記録媒体１００ｄおよび１００ｅが超解像特性を有することを示すための比較用であり、超解像技術を必要としない光情報記録媒体である。
【００６７】
比較例１および比較例２で再生した光情報記録媒体は、透光層と、情報記録層と、基板とからなり、再生レーザ入射面より、この順に積層された構造となっている。
【００６８】
透光層は透明樹脂層（膜厚１００μｍ）で形成され、情報記録層は反射膜（Ａｕ、比較例１では膜厚５０ｎｍ、比較例２では膜厚２０ｎｍ）で形成され、基板は樹脂基板から形成されている。
【００６９】
ディスク＃１の２層超解像光情報記録媒体１００ｄの中間層１０３ｄおよび基板１０５ｄと、ディスク＃２の２層超解像光情報記録媒体１００ｅの中間層１０３ｅおよび基板１０５ｅと、比較例１および比較例２の基板とには、図示しない凹および／または凸からなるプリピットが設けられている。
【００７０】
上記のプリピット上にディスク＃１では、上記のプリピット上に温度感応層および光吸収層が積層されることにより、光吸収層に、凹凸が転写された状態となり、記録マークとしてのプリピットが形成されている。
【００７１】
同様に、ディスク＃２では、上記のプリピット上に機能層が積層されることにより、機能層に、凹凸が転写された状態となり、記録マークとしてのプリピットが形成されている。また、比較例１および比較例２では、上記のプリピット上に反射膜が積層されることにより、反射膜に凹凸が転写された状態となり、記録マークとしてのプリピットが形成されている。
【００７２】
したがって、２層超解像光情報記録媒体１００ｄ、比較例１、２層超解像光情報記録媒体１００ｅおよび比較例２はいわゆる再生専用光情報記録媒体である。
【００７３】
２層超解像光情報記録媒体１００ｄおよび比較例１の光情報記録媒体のプリピット、すなわち記録マークは、Ｂｌｕ−ｒａｙ  Ｄｉｓｃ（登録商標）で採用されている１−７ＰＰ変調方式に基づいた記録パターンで形成されており、最短記録マーク長である２Ｔマーク長は、９３ｎｍである。１−７ＰＰ変調方式はランダムパターン方式と呼ばれ、規則的に長さが異なる複数の記録マークが所定の方式にしたがって、信号再生する方向に配置された方式である。
【００７４】
２層超解像光情報記録媒体１００ｅおよび比較例２の光情報記録媒体のプリピット、すなわち記録マークは、単一周波数繰り返しパターンが形成されており、記録マーク長は１００ｎｍである。単一周波数繰り返しパターン方式はモノトーンパターン方式と呼ばれ、マーク・スペース比が１：１に配置された方式である。
【００７５】
（再生信号特性の測定）
次に、上記２層超解像光情報記録媒体１００ｄおよび１００ｅと、上記比較例１および比較例２に係る通常の光情報記録媒体とを再生した場合について、再生信号特性をディスク測定機で測定した結果について説明する。
【００７６】
（ディスク＃１測定）
図５は、ディスク＃１に係る２層超解像光情報記録媒体１００ｄにおける第１情報記録層１０２ｄおよび第２情報記録層１０４ｄ、および比較例１に係る通常の光情報記録媒体の情報記録層を再生したとき計測されるｂＥＲ（bit Error Rate）の再生レーザパワー依存性を表したグラフである。測定は、青色レーザ光の波長である波長４０５ｎｍ半導体レーザと、ＮＡ（開口数）０．８５の光学系を有するディスク測定機で測定した。
【００７７】
上記光学系は、Ｂｌｕ−ｒａｙ  Ｄｉｓｃ（登録商標）再生装置と同様の光学系である。上述したように解像限界はλ／（４ＮＡ）で表されるので、上記ディスク測定機の有する解像限界の長さは約１２０ｎｍとなる。したがって、２層超解像光情報記録媒体１００ｄおよび比較例１に係る光情報記録媒体の最短記録マーク長９３ｎｍは、上記ディスク測定機の光学系に対しては解像限界以下の長さである。
【００７８】
また、ｂＥＲとは、再生信号のビット誤り率のことで、媒体の再生信号特性を表す指標の一つであり、値が小さいほどよい再生信号特性であることを示す。
【００７９】
最短記録マーク長が解像限界以下の短さになると、一般的な再生信号特性を表す指標であるジッタの値が非常に悪くなり、指標としては機能しなくなる。すなわち、ジッタの値によって再生信号特性を評価することができなくなる。
【００８０】
ジッタの値がよい場合、ｂＥＲの値も良くなる。しかし、ジッタの値が悪い場合でも、ｂＥＲの値がよい場合がある。ｂＥＲは最終的に実用的な光情報記録媒体再生装置に必要な評価指標値であり、ｂＥＲが良ければシステムとしては成立するため、本測定においては媒体の再生信号特性を表す指標としてｂＥＲを用いた。
【００８１】
図５において太点線で示される閾値４０は、一般的に光情報記録媒体再生装置が安定して光情報記録媒体に記録された情報の再生を可能にするｂＥＲの閾値、すなわち一般的な光情報記録媒体再生装置が必要とする再生信号特性の閾値である。図５に示すとおり、２層超解像光情報記録媒体１００ｄの第１情報記録層１０２ｄおよび第２情報記録層１０４ｄの再生時に計測されるｂＥＲは比較例１の情報記録層の再生時に計測されるｂＥＲより十分小さい。
【００８２】
また、図５より明らかなように、２層超解像光情報記録媒体１００ｄの第１情報記録層１０２ｄおよび第２情報記録層１０４ｄの再生時に計測されるｂＥＲが上述の閾値４０以下となる再生レーザパワーの範囲はそれぞれ異なった範囲を有している。具体的には、第１情報記録層１０２ｄでは１．０ｍＷ〜３．７ｍＷの範囲、第２情報記録層１０４ｄでは、２．７ｍＷ〜５．０ｍＷの範囲である。
【００８３】
上記の測定結果から、第１情報記録層１０２ｄの再生レーザパワー範囲は、第２情報記録層１０４ｄの再生レーザパワー範囲より低く、再生レーザパワー軸上において、再生レーザパワー減少方向に寄る傾向にあることを見出した。
【００８４】
２層超解像光情報記録媒体では、第２情報記録層１０４ｄの再生時には、必ず第１情報記録層１０２ｄを透過した再生光で再生を行うため、第２情報記録層１０４ｄに届くレーザ光量が減少する。そのため、第２情報記録層１０４ｄを再生するのに必要な再生レーザパワーは第１情報記録層１０２ｄよりも高い再生レーザパワーが必要となる。
【００８５】
また、従来の光情報記録媒体再生装置と同様、第１情報記録層１０２ｄおよび第２情報記録層１０４ｄにおいて、ともにｂＥＲが閾値４０以下の値を示し、等しい再生レーザパワー（例えば、図５中では２．８ｍＷ）が存在していることもわかる。
【００８６】
（ディスク＃２測定）
図６は、ディスク＃２の２層超解像光情報記録媒体１００ｅにおける第１情報記録層１０２ｅおよび第２情報記録層１０４ｅ、および比較例２に係る光情報記録媒体の情報記録層のＣＮＲ（Carrier to Noise Ratio）の再生レーザパワー依存性を表したグラフである。測定は、２層超解像光情報記録媒体１００ｄの時と同様、青色レーザ光の波長である波長４０５ｎｍ半導体レーザと、ＮＡ（開口率）０．８５の光学系を有するディスク測定機で測定した。
【００８７】
上述したように解像限界はλ／（４ＮＡ）で表されるので、上記ディスク測定機の有する解像限界の長さは約１２０ｎｍとなる。したがって、２層超解像光情報記録媒体１００ｅおよび比較例２の記録マーク長１００ｎｍは、上記ディスク測定機に対しては解像限界以下の長さである。
【００８８】
ＣＮＲとは、記録マークの形成方式がモノトーン方式である場合における単一周波数繰り返し信号についての評価指標の一つであり、媒体の再生信号特性を表す指標の一つであり、値が大きいほどよい再生信号特性であることを示す。
【００８９】
単一周波数繰り返し信号の評価指標としては、ジッタやｂＥＲでなくＣＮＲが一般的であるため、本測定においては媒体の再生信号特性を表す指標としてＣＮＲを用いた。
【００９０】
図６中で示した太点線で示される閾値５０は、一般的に光情報記録媒体再生装置が安定して光情報記録媒体に記録された情報の再生を可能にするＣＮＲの閾値、すなわち一般的な光情報記録媒体再生装置が必要とする再生信号特性の閾値である。
【００９１】
図６に示すとおり、２層超解像光情報記録媒体１００ｅの第１情報記録層１０２ｅおよび第２情報記録層１０４ｅのＣＮＲは、比較例２の情報記録層のＣＮＲより十分大きいことがわかる。
【００９２】
また、図６より明らかなように、２層超解像光情報記録媒体１００ｅの第１情報記録層１０２ｅおよび第２情報記録層１０４ｅが示すＣＮＲが上述の閾値５０以上となる再生レーザパワー範囲はそれぞれ異なった範囲を有している。具体的には、第１情報記録層１０２ｅでは０．６ｍＷ〜１．２ｍＷの範囲、第２情報記録層１０４ｅでは、１．１ｍＷ以上の範囲である。
【００９３】
本発明の発明者は、上記の測定結果から、２層超解像光情報記録媒体１００ｅの第１情報記録層１０２ｅの再生レーザパワー範囲は、第２情報記録層１０４ｅの再生レーザパワー範囲より低く、再生レーザパワー軸上において、再生レーザパワーの減少方向に寄る傾向にあることを見出した。
【００９４】
また、従来の光情報記録媒体再生装置同様、２層超解像光情報記録媒体１００ｅの第１情報記録層１０２ｅおよび第２情報記録層１０４ｅにおいて、ともにＣＮＲが閾値５０以上の値を示し、等しい再生レーザパワー（例えば、図６中では１．１ｍＷ）が存在していることもわかる。
【００９５】
ここで、本発明の発明者は、従来の光情報記録媒体再生装置と同様に、２層超解像光情報記録媒体１００ｄの第１情報記録層１０２ｄおよび第２情報記録層１０４ｄを等しい再生レーザパワーで再生すると、第１情報記録層１０２ｄの再生劣化が起こり第１情報記録層１０２ｅに記録された情報の再生ができなくなることを見出した。このことは、２層超解像光情報記録媒体１００ｅについても同様である。
【００９６】
なお、上記等しい再生レーザパワーとは、例えば、２層超解像光情報記録媒体１００ｄにおいては、第１情報記録層１０２ｄと第２情報記録層１０４ｄの再生時に計測されるｂＥＲがともに閾値以下である３．０ｍＷのことを指し、２層超解像光情報記録媒体１００ｅにおいては、第１情報記録層１０２ｅと第２情報記録層１０４ｅのＣＮＲがともに閾値以上である１．１ｍＷのことを指す。
【００９７】
（再生回数について）
図７は、２層超解像光情報記録媒体１００ｄの第１情報記録層１０２ｄを所定の再生レーザパワーで再生したときにおける、再生回数と規格化反射率との相関について示したグラフである。同図は、２層超解像光情報記録媒体１００ｄの第１情報記録層１０２ｄを、再生レーザパワーが１．２ｍＷ、１．６ｍＷ、２．０ｍＷ、２．８ｍＷであるときにおいて、それぞれ再生したときの再生信号の最大戻り光量の規格化反射率の再生回数依存性を示している。規格化反射率とは、各再生回数での反射率を、再生回数１回での反射率を基準に、規格化した反射率のことである。例えば、再生回数１のとき、規格化反射率は１．０の値をとる。
【００９８】
図７より明らかなように、再生レーザパワーが大きくなるほど、再生回数が増大するに伴い規格化反射率の変化量が大きくなっている。これは、特性が悪化していることを示している。例えば、再生レーザパワーが２．８ｍＷのとき、再生回数２０００回で５０％以上の反射率変動が起こっている。
【００９９】
一般的には、１枚の光情報記録媒体を再生する場合、一時停止の際など次の再生命令が来るまで光ピックアップが１つの同一トラック上に止まることがあるため、安定して再生できるためには２０００回以上再生できるような再生耐性は必要である。
【０１００】
反射率が大きく変化するとフォーカスがかからなくなることもある。さらに、再生信号振幅が、光情報記録媒体に記録された情報を再生するのに必要な再生信号振幅範囲から外れ、記録された情報の再生が困難になることもある。そのため、光情報記録媒体を安定して再生するには反射率は一般的に１０％〜２０％の変動までに抑えることが必要である。
【０１０１】
したがって、２層超解像光情報記録媒体１００ｄの第１情報記録層１０２ｄは、再生レーザパワー２．８ｍＷで、２０００回再生することで、必要とされる上記再生耐性と、反射率の変動の特性とを満たさなくなっている。そのため、２層超解像光情報記録媒体１００ｄの再生時において、再生レーザパワーに２．８ｍＷを採用することは、実質的に不可能である。
【０１０２】
また、測定の結果、２層超解像光情報記録媒体１００ｄの第１情報記録層１０２ｄを再生レーザパワー２．０ｍＷ以下で再生した場合は、２０００回再生後もｂＥＲは閾値以下であった。一方、再生レーザパワー２．８ｍＷで２０００回再生した場合のｂＥＲの値は、閾値より不可逆的に非常に大きな値となることがわかった。再生レーザパワーが大きくなるほど、再生回数に伴うｂＥＲの悪化の程度は増大する。したがって、ｂＥＲ特性の観点からも、２層超解像光情報記録媒体１００ｄの第１情報記録層１０２ｄを再生する際、再生レーザパワーに２．８ｍＷを採用することは、実質的に不可能である。
【０１０３】
一方、第２情報記録層１０４ｄの再生時には、必ず第１情報記録層１０２ｄを透過した再生レーザで再生を行うため、実際に照射した再生レーザが第２情報記録層１０４ｄに到達したとき、再生レーザパワーは減少している。そのため、再生レーザパワーを２．８ｍＷにしても、第２情報記録層１０４ｄに到達した時点の再生レーザパワーは２．８ｍＷよりも小さくなるため、第２情報記録層１０４ｄの反射率およびｂＥＲは安定する。
【０１０４】
したがって、２層超解像光情報記録媒体１００ｄの第１情報記録層１０２ｄおよび第２情報記録層１０４ｄを、従来の光情報記録媒体再生装置のように等しい再生パワーで再生することは、実質的に不可能である。
【０１０５】
また、２層超解像光情報記録媒体１００ｅの第１情報記録層１０２ｅに関しても、２層超解像光情報記録媒体１００ｄと同様に、再生レーザパワーに１．１ｍＷを採用すると、再生回数の増大とともに反射率が減少することで、特性が悪化し、いずれは再生不可能となることがわかった。
【０１０６】
したがって、ディスク＃２の２層超解像光情報記録媒体１００ｅに関しても、第１情報記録層１０２ｅおよび第２情報記録層１０４ｅを、従来の光情報記録媒体再生装置のように等しい再生パワーで再生することは、実質的に不可能であることがわかった。
【０１０７】
前記〔背景技術〕において述べたように、一般的に、超解像技術は高い再生レーザパワーが必要である。また、第２情報記録層１０４ｅの再生時には、必ず第１情報記録層１０２ｅを透過した再生光で再生を行う。そのため、実際に第２情報記録層１０４ｅに届くレーザ光量は減少する。その結果、超解像再生を可能にするために必要な温度や光量の条件を満たさなくなる。したがって、第２情報記録層１０４ｅを超解像再生するには、第１情報記録層１０２ｅよりも高い再生レーザパワーを必要とする。
【０１０８】
（第１情報記録層を再生するときの再生レーザパワー）
次に、光情報記録媒体再生装置１０がｎ層の情報記録層が積層された多層超解像光情報記録媒体を再生するときの、再生レーザパワーについて説明する。再生レーザ入射面側からｎ番目の情報記録層を第ｎ情報記録層とする。再生レーザパワーである第１情報記録層の再生レーザパワーＰｒ１および第ｎ情報記録層の再生レーザパワーＰｒｎについて述べる。以下においては、一例として、２層超解像光情報記録媒体１００ｄを再生する場合、すなわち、ｎが２のときの、第２情報記録層の再生レーザパワーＰｒ２について説明する。
【０１０９】
第１情報記録層の再生レーザパワーＰｒ１は、光情報記録媒体再生装置１０が第１情報記録層１０２ｄを再生するときに設定する再生レーザパワーである。また、第２情報記録層の再生レーザパワーＰｒ２は、光情報記録媒体再生装置１０が第２情報記録層１０４ｄを再生するときに設定する再生レーザパワーである。
【０１１０】
ここで、第１情報記録層１０２ｄの再生時に光情報記録媒体再生装置１０が必要とする再生信号特性を満たす最小の再生レーザパワーを第１情報記録層の最小再生レーザパワーＰｒ１ｍｉｎとする。例えば、図５において、第１情報記録層１０２ｄの再生時に計測されるｂＥＲが上述の閾値４０以下となる再生レーザパワーは、１．０ｍＷ〜３．７ｍＷの範囲であるので、このとき、第１情報記録層の最小再生レーザパワーＰｒ１ｍｉｎは１．０ｍＷと設定することができる。
【０１１１】
第２情報記録層の再生レーザパワーＰｒ２は、第２情報記録層１０４ｄを再生時に光情報記録媒体再生装置１０が必要とする再生信号特性を満たす再生レーザパワー範囲であればいかなる値に設定してもよい。例えば、図５においては、第２情報記録層１０４ｄの再生時に計測されるｂＥＲが上述の閾値４０以下となる再生レーザパワーは、２．７ｍＷ〜５．０ｍＷの範囲であり、この範囲で第２情報記録層の再生レーザパワーＰｒ２を設定することができる。
【０１１２】
ただし、第２情報記録層の再生レーザパワーＰｒ２が上記レーザパワー範囲内で、低い再生レーザパワー値であるほどレーザの消費電力を抑えることができる。そのため、図５に示したように、第２情報記録層１０４ｄの再生時に計測されるｂＥＲが閾値４０以下となる再生レーザパワーが、２．７ｍＷ〜５．０ｍＷの範囲であるような再生信号特性を得られた場合においては、２．７ｍＷを第２情報記録層の再生レーザパワーＰｒ２として採用することが望ましいといえる。
【０１１３】
第２情報記録層の再生レーザパワーＰｒ２を決める方法は、限定されない。例えば、スピンドルモータ２０により光情報記録媒体１００を回転させる前に、第２情報記録層の再生レーザパワーＰｒ２の設定関する情報を認識する手段（例えば、ディスクの一部、またはディスクを収容しているカートリッジの一部に切り欠き等が入っており、それを機械的に認識する方法等）を用いて２層超解像光情報記録媒体１００ｄの再生開始前に第２情報記録層の再生レーザパワーＰｒ２を設定してもよい。
【０１１４】
また、光情報記録媒体再生装置１０の有する解像限界以上の記録マーク長により第２情報記録層の再生レーザパワーＰｒ２の設定に関する情報が記録されていれば、まず通常の２層光情報記録媒体１００ｃ等で利用する低い再生レーザパワーにてその情報を読み出した後に、第２情報記録層の再生レーザパワーＰｒ２の設定をしてもよいし、あるいは、２層超解像光情報記録媒体１００ｄに予め用意されたテストリード領域を利用してテストリード、すなわち、再生レーザパワーを上下に変動させて再生信号特性の再生レーザパワー依存性を測定し、上記再生レーザパワー範囲に入る第２情報記録層の再生レーザパワーＰｒ２を設定する方法を用いてもよい。
【０１１５】
ここで、第１情報記録層の再生レーザパワーＰｒ１は、第１情報記録層の最小再生レーザパワーＰｒ１ｍｉｎ以上であり、第２情報記録層の再生レーザパワーＰｒ２より小さい値である。第１情報記録層の再生レーザパワーＰｒ１、第２情報記録層の再生レーザパワーＰｒ２および第１情報記録層の最小再生レーザパワーＰｒ１ｍｉｎは、以下の数式（１）を満たす関係にある。
【０１１６】
Ｐｒ１ｍｉｎ≦Ｐｒ１＜Ｐｒ２    …    （１）
まず、第２情報記録層の再生レーザパワーＰｒ２より小さい値でなければいけない理由は、前記「従来の光情報記録媒体再生装置における再生レーザパワーについて」において詳細を述べたように、従来の光情報記録媒体再生装置１０では第１情報記録層の再生レーザパワーＰｒ１と第２情報記録層の再生レーザパワーＰｒ２が等しい値であったが、２層超解像光情報記録媒体１００ｄの第１情報記録層１０２ｄを再生する際は、第１情報記録層の再生レーザパワーＰｒ１が第２情報記録層の再生レーザパワーＰｒ２と等しいかそれ以上であると第１情報記録層１０２ｄの再生が不可能となってしまうためである。また、第１情報記録層の再生レーザパワーＰｒ１が第１情報記録層の最小再生レーザパワーＰｒ１ｍｉｎより小さい場合、第１情報記録層１０２ｄを再生時に光情報記録媒体再生装置１０が必要とする再生信号特性を満たすことができず、第１情報記録層１０２ｄの再生することが不可能であるため、第１情報記録層の再生レーザパワーＰｒ１は第１情報記録層の最小再生レーザパワーＰｒ１ｍｉｎ以上である必要がある。
【０１１７】
また、第１情報記録層の再生レーザパワーＰｒ１のとりうる再生レーザパワー範囲としてさらに好ましくは、以下の数式（２）の関係を満たすことである。
【０１１８】
１．０５×Ｐｒ１ｍｉｎ≦Ｐｒ１≦０．９５×Ｐｒ２    …    （２）
理由は次の通りである。一般的に、光情報記録媒体再生装置のレーザ自身の製造ばらつきや、光情報記録媒体再生装置の光学系の組み立てばらつき、光情報記録媒体の製造ばらつき、再生時の環境の変化等が存在するため、再生システムとして、実用的な再生信号特性を得るための再生レーザパワー範囲である再生レーザパワーマージンが必要となる。すなわち、再生レーザパワーマージンは再生レーザパワーの変動に対する余裕を表す。
【０１１９】
一般的に、再生レーザパワーマージンの量は、光情報記録媒体再生装置の光学系の、例えば光ピックアップの精度が高いほど小さくなるが、媒体ばらつき等が存在するため、５％以上は必要である。したがって、数式（１）で示した第１情報記録層の再生レーザパワーＰｒ１の範囲に対して、上限値および下限値がそれぞれ５％の再生レーザパワーマージンを有する第１情報記録層の再生レーザパワーＰｒ１の設定、すなわち、数式（２）で示した関係を満たすように設定することにより、２層超解像光情報記録媒体１００ｄの第１情報記録層１０２ｄを再生する際に、光情報記録媒体再生装置１０のレーザ光源自身の製造ばらつきや、光情報記録媒体再生装置１０の光学系の組み立てばらつき、２層超解像光情報記録媒体１００ｄの製造ばらつきや、再生時の環境の変化等に影響されることがなくなる。
【０１２０】
そのため、光情報記録媒体再生装置１０が必要とする再生信号特性を満たした上で、従来の光情報記録媒体再生装置より再生回数の増大に伴う反射率や再生信号特性の変化がほぼなく、安定した第１情報記録層１０２ｄの再生が可能となる。
【０１２１】
第１情報記録層の最小再生レーザパワーＰｒ１ｍｉｎを決める方法も、第２情報記録層の再生レーザパワーＰｒ２のときと同様限定されない。上述した第２情報記録層の再生レーザパワーＰｒ２を決める方法と同様の方法等が考えられるが、テストリードにて第１情報記録層の最小再生レーザパワーＰｒ１ｍｉｎを決定する方法の場合、第２情報記録層の再生レーザパワーＰｒ２のときと異なり、テストリードの結果を反映して第１情報記録層の最小再生レーザパワーＰｒ１ｍｉｎは１点に決定される。
【０１２２】
第１情報記録層の再生レーザパワーＰｒ１を決める方法も、限定されない。ただし、上述の数式（１）、より好ましくは数式（２）で示した第１情報記録層の最小再生レーザパワーＰｒ１ｍｉｎと第２情報記録層の再生レーザパワーＰｒ２から定められる再生レーザパワー範囲に入っていることが必要である。
【０１２３】
（層間移動）
次に、光情報記録媒体再生装置が多層超解像光情報記録媒体を再生するときにおいて、フォーカスしている情報記録層を第１情報記録層から第ｎ情報記録層へ、またはフォーカスしている情報記録層を第ｎ情報記録層から第１情報記録層へ変更する際の、第１情報記録層の再生レーザパワーＰｒ１および第ｎ情報記録層の再生レーザパワーＰｒｎについて述べる。以下においても、一例として、２層超解像光情報記録媒体１００ｄを再生する場合について説明する。すなわちｎは２である。
【０１２４】
フォーカスする情報記録層を第１情報記録層１０２ｄから第２情報記録層１０４ｄへ、またはフォーカスしている情報記録層を第２情報記録層１０４ｄから第１情報記録層１０２ｄへ変更する際は、再生レーザパワーが第２情報記録層の再生レーザパワーＰｒ２より低いことが好ましい。
【０１２５】
フォーカスしている情報記録層を第１情報記録層１０２ｄから第２情報記録層１０４ｄへ、またはフォーカスしている情報記録層を第２情報記録層１０４ｄから第１情報記録層１０２ｄへ変更する（層間移動）際の再生レーザパワーが第２情報記録層の再生レーザパワーＰｒ２以上の場合、第１情報記録層１０２ｄにフォーカスした際に、再生レーザパワーが高いため、第１情報記録層１０２ｄを不可逆的に再生不可としてしまう問題がある。これに対し、第２情報記録層の再生レーザパワーＰｒ２より低い場合、上記の問題、すなわち第１情報記録層１０２ｄを不可逆的に再生不可としてしまうことを防ぐ効果がある。
【０１２６】
また、フォーカスしている情報記録層を第１情報記録層１０２ｄから第２情報記録層１０４ｄへ、またはフォーカスしている情報記録層を第２情報記録層１０４ｄから第１情報記録層１０２ｄへ変更する（層間移動）際の再生レーザパワーが第１情報記録層の再生レーザパワーＰｒ１であることがより好ましい。理由は以下の通りである。
【０１２７】
第２情報記録層の再生レーザパワーＰｒ２より低く第１情報記録層の再生レーザパワーＰｒ１ではない再生レーザパワーをＰｒｘとし、フォーカスしている情報記録層を第１情報記録層１０２ｄから第２情報記録層１０４ｄへ、またはフォーカスしている情報記録層を第２情報記録層１０４ｄから第１情報記録層１０２ｄへ変更する（層間移動）際の再生レーザパワーをＰｒｘとする。
【０１２８】
このとき、再生レーザパワーＰｒｘは、第１情報記録層の再生レーザパワーＰｒ１、第２情報記録層の再生レーザパワーＰｒ２とも異なるため、第１情報記録層の再生レーザパワーＰｒ１と第２情報記録層の再生レーザパワーＰｒ２の再生レーザパワー変更の間に一度Ｐｒｘにする必要がある。この結果、１回の層間移動に対し２度レーザパワーを変更することになり、時間のロスを生じる。また、Ｐｒｘが第１情報記録層の再生レーザパワーＰｒ１や第２情報記録層の再生レーザパワーＰｒ２と大きく異なる値となると、各情報記録層にフォーカスがかからなく可能性があるという問題がある。
【０１２９】
フォーカスしている情報記録層を第１情報記録層１０２ｄから第２情報記録層１０４ｄへ、またはフォーカスしている情報記録層を第２情報記録層１０４ｄから第１情報記録層１０２ｄへ変更する（層間移動）際の再生レーザパワーが第１情報記録層の再生レーザパワーＰｒ１であることにより、時間のロスを生じることなく、フォーカスがかからないということを防ぐ効果がある。
【０１３０】
以上、多層超解像光情報記録媒体の一例として２層超解像光情報記録媒体１００ｄを再生可能な光情報記録媒体再生装置１０について説明したが、上記説明中の２層超解像光情報記録媒体をｎが２以上のｎ層光情報記録媒体、第２情報記録層１０４ｄを第ｎ情報記録層、第２情報記録層の再生レーザパワーＰｒ２を第ｎ情報記録層の再生レーザパワーＰｒｎとしたとき、情報記録層数がｎ層（ｎは２以上の整数）の多層超解像光情報記録媒体を再生可能な光情報記録媒体再生装置とすることができる。
【０１３１】
なぜなら、第１情報記録層と第ｎ情報記録層の再生レーザパワーや耐久性の関係は、ｎが２から２以上になっても変わらないからである。
【０１３２】
このことは、例えば、第ｎ情報記録層の再生時には、必ず第１情報記録層を通った再生光で再生を行うため、超解像再生を可能にするために必要な温度や光量のために、第１情報記録層よりも高い再生レーザパワーを必要とすることから明らかである。
【０１３３】
また、第１情報記録層は、第ｎ情報記録層の再生を可能にするため、ある程度の光を透過する必要があり、そのため反射膜や光吸収層、機能層の厚さを薄くする必要が生じるため、材料等の状態が不安定な状態となり、反射率等の再生回数に伴う変化が大きくなるという事実からも導かれる。
【０１３４】
（発明の作用効果）
また、本発明は以下のように表現することも可能である。すなわち、本発明は、情報が高密度に記録された光情報記録媒体を再生する光情報記録媒体再生装置に関するものである。
【０１３５】
本発明は、レーザービーム等の光を用いて情報を記録および再生、あるいは、再生のみが可能な光情報記録媒体を再生する光情報記録媒体再生装置に関し、特に、回折限界光スポット径で決まる光学的分解能以下の記録マークを再生可能な超解像光情報記録媒体技術を用いた光情報記録媒体の光情報記録媒体再生装置、光情報記録媒体再生方法および光情報記録媒体に関する。
【０１３６】
本発明の光情報記録媒体再生装置は、光情報記録媒体再生装置が有する解像限界の長さより短い記録マークの再生を可能とする再生膜を含む情報記録層をｎ層（ｎは２以上の整数）有する多層光情報記録媒体を再生可能な光情報記録媒体再生装置であって、該光情報記録媒体の、最も再生光入射面に近い第１情報記録層を再生する再生レーザパワーをＰｒ１、最も再生光入射面から遠い第ｎ情報記録層を再生する再生レーザパワーをＰｒｎ、第１情報記録層の再生時に該光情報記録媒体再生装置が必要とする再生信号特性を満たす最小の再生レーザパワーをＰｒ１ｍｉｎとしたとき、Ｐｒ１ｍｉｎ≦Ｐｒ１＜Ｐｒｎ、であることを特徴としている。
【０１３７】
これによれば、多層超解像光情報記録媒体の最も再生光入射面に近い第１情報記録層を再生する際に、光情報記録媒体再生装置が必要とする再生信号特性を満たし、従来の光情報記録媒体再生装置より再生回数に伴う反射率や再生信号特性の悪化が改善され、第１情報記録層の安定した再生が可能となる。
【０１３８】
本発明の光情報記録媒体再生装置は、波長略４０５ｎｍのレーザと開口数略０．８５の対物レンズよりなる光学系を有し、１２０ｎｍより短い記録マークが形成された情報記録層をｎ層（ｎは２以上の整数）有する多層光情報記録媒体を再生可能な光情報記録媒体再生装置であって、該光情報記録媒体の、最も再生光入射面に近い第１情報記録層を再生する再生レーザパワーをＰｒ１、最も再生光入射面から遠い第ｎ情報記録層を再生する再生レーザパワーをＰｒｎ、第１情報記録層の再生時に該光情報記録媒体再生装置が必要とする再生信号特性を満たす最小の再生レーザパワーをＰｒ１ｍｉｎとしたとき、Ｐｒ１ｍｉｎ≦Ｐｒ１＜Ｐｒｎ、であることを特徴としている。
【０１３９】
これによれば、Ｂｌｕ−ｒａｙ  Ｄｉｓｃ（登録商標）再生装置のような青色レーザ波長のレーザと開口数略０．８５の対物レンズよりなる光学系を有する光情報記録媒体再生装置で、再生専用型の多層超解像光情報記録媒体の最も再生光入射面に近い第１情報記録層を再生する際に、光情報記録媒体再生装置が必要とする再生信号特性を満たし、従来の光情報記録媒体再生装置より再生回数に伴う反射率や再生信号特性の悪化が改善され、第１情報記録層の安定した再生が可能となる。
【０１４０】
本発明の光情報記録媒体再生装置は、波長略４０５ｎｍのレーザと開口数略０．８５の対物レンズよりなる光学系を有し、１２０ｎｍより短い記録マークを含む複数の記録マークが形成されることにより情報が記録される情報記録層をｎ層（ｎは２以上の整数）有する多層光情報記録媒体を再生可能な光情報記録媒体再生装置であって、該光情報記録媒体の、最も再生光入射面に近い第１情報記録層を再生する再生レーザパワーをＰｒ１、最も再生光入射面から遠い第ｎ情報記録層を再生する再生レーザパワーをＰｒｎ、第１情報記録層の再生時に該光情報記録媒体再生装置が必要とする再生信号特性を満たす最小の再生レーザパワーをＰｒ１ｍｉｎとしたとき、Ｐｒ１ｍｉｎ≦Ｐｒ１＜Ｐｒｎ、であることを特徴としている。
【０１４１】
これによれば、Ｂｌｕ−ｒａｙ  Ｄｉｓｃ（登録商標）再生装置のような青色レーザ波長のレーザと開口数略０．８５の対物レンズよりなる光学系を有する光情報記録媒体再生装置で、記録型の多層超解像光情報記録媒体の最も再生光入射面に近い第１情報記録層を再生する際に、光情報記録媒体再生装置が必要とする再生信号特性を満たし、従来の光情報記録媒体再生装置より再生回数に伴う反射率や再生信号特性の悪化が改善され、第１情報記録層の安定した再生が可能となる。
【０１４２】
本発明の光情報記録媒体再生装置は、１．０５×Ｐｒ１ｍｉｎ≦Ｐｒ１≦０．９５×Ｐｒｎ、を満たすことを特徴としている。
【０１４３】
ここで、光情報記録媒体再生装置では、再生時の環境変化に備えて、再生システムとして再生パワーに余裕を持たせる必要がある。再生時の環境変化には、光情報記録媒体再生装置のレーザ自身の製造ばらつき、光情報記録媒体再生装置の光学系の組み立てばらつき、光情報記録媒体の製造ばらつき、などが考えられる。
【０１４４】
また、光情報記録媒体再生装置が高精度であるほど、余裕を持たせる量は小さくなるが、一般的な光情報記録媒体再生装置においては５％以上の余裕率が必要である。そこで、本発明のＰｒ１において、上限値および下限値にそれぞれ５％の再生パワーに余裕を持たせるＰｒ１の設定、すなわち、１．０５×Ｐｒ１ｍｉｎ≦Ｐｒ１≦０．９５×Ｐｒｎとすることを特徴としている。
【０１４５】
これによれば、多層超解像光情報記録媒体の最も再生光入射面に近い第１情報記録層を再生する際に、光情報記録媒体再生装置のレーザ自身の製造ばらつきや、光情報記録媒体再生装置の光学系の組み立てばらつき、光情報記録媒体の製造ばらつき、再生時の環境の変化等に影響されることなく、光情報記録媒体再生装置が必要とする再生信号特性を満たし、従来の光情報記録媒体再生装置より再生回数に伴う反射率や再生信号特性の悪化が改善され、第１情報記録層のより安定した再生が可能となる。
【０１４６】
本発明の光情報記録媒体再生装置は、フォーカスしている情報記録層を第１情報記録層から第ｎ情報記録層へ、またはフォーカスしている情報記録層を第ｎ情報記録層から第１情報記録層へ変更する（以降、層間移動）際は、再生レーザパワーがＰｒｎより低いことを特徴としている。
【０１４７】
これによれば、第ｎ情報記録層から第１情報記録層にフォーカスした際に、再生レーザパワーがＰｒｎ以上に設定されていると、第１情報記録層を不可逆的に再生不可としてしまう問題がある。これに対し、Ｐｒｎより低く設定されている場合、上記のような問題が生じずに、第１情報記録層を不可逆的に再生不可となることを防ぐ。好ましくは、再生レーザパワーはＰｒ１であることが好ましい。
【０１４８】
Ｐｒｎより低くＰｒ１ではない再生レーザパワーをＰｒｘとして、フォーカスしている情報記録層を第１情報記録層から第ｎ情報記録層へ、またはフォーカスしている情報記録層を第ｎ情報記録層から第１情報記録層へ変更する際の再生レーザパワーがＰｒｘの場合、第１情報記録層の再生レーザパワーＰｒ１、第ｎ情報記録層の再生レーザパワーＰｒｎのどちらとも異なる値に設定されるため、Ｐｒ１とＰｒｎの再生レーザパワー変更の間に一度Ｐｒｘにする必要があり、１回の層間移動に対し、２度レーザパワーを変更することになり、また、層間移動が遅くなるという問題がある。また、ＰｒｘがＰｒ１もしくはＰｒｎと大きく異なる値が設定されると、各情報記録層にフォーカスできない可能性がある。
【０１４９】
したがって、再生レーザパワーがＰｒ１であることにより、層間移動の際、時間的に効率よくフォーカスすることが可能となる。
【０１５０】
本発明の光情報記録媒体再生装置は、ｎが２である該光情報記録媒体の再生開始時は、第１情報記録層から再生することを特徴としている。これによれば、第２情報記録層から再生するような光情報記録媒体再生装置の場合、誤って第１情報記録層にフォーカスがかかり、高い再生レーザパワーであるＰｒ２で第１情報記録層を再生し、第１情報記録層を不可逆的に再生不可としてしまう問題を生じる可能性があるため、第１情報記録層から再生する光情報記録媒体再生装置であることにより、上記のような問題を防ぐことができる。また、ｎが２である２層超解像光情報記録媒体において、再生開始前にＰｒ１およびＰｒ２の値を識別可能な媒体である場合、再生を開始する際、第１情報記録層はＰｒ１で、第２情報記録層はＰｒ２で、再生を開始することで、時間的に効率よく再生できる。
【０１５１】
なお、本実施の形態においては光情報記録媒体を再生する光情報記録媒体再生装置について開示したが、これに限られず、再生または記録専用の装置の他、再生および記録の両方が可能な装置が含まれ、その使用形態において据え置き用、携帯用の如何を問うものではない。
【０１５２】
以上のように、本発明に係る光情報記録媒体再生装置は、光学系の解像限界より短い長さの記録マークを含む情報記録層が複数積層された光情報記録媒体を再生する光情報記録媒体再生装置において、再生レーザ入射面に最も近い情報記録層を再生する再生レーザパワーが、再生レーザ入射面から最も遠い情報記録層を再生する再生レーザパワーより小さく、かつ、該光情報記録媒体再生装置が必要とする再生信号特性を満たす最小の再生レーザパワー以上に設定されていることを特徴としている。
【０１５３】
また、本発明に係る光情報記録媒体再生装置は、光学系として、波長が４００ｎｍ以上、４１０ｎｍ以下であるレーザ光を照射可能なレーザ光源と、開口数が０．８３以上、０．８７以下である対物レンズとを備え、長さが１２０ｎｍ以下の上記記録マークが形成されることにより情報が記録される情報記録層が複数積層された光情報記録媒体を再生する光情報記録媒体再生装置において、再生レーザ入射面に最も近い情報記録層を再生する再生レーザパワーが、再生レーザ入射面から最も遠い情報記録層を再生する再生レーザパワーより小さく、かつ、該光情報記録媒体再生装置が必要とする再生信号特性を満たす最小の再生レーザパワー以上に設定されていることを特徴としている。
【０１５４】
また、本発明に係る光情報記録媒体再生装置は、光学系として、波長が４００ｎｍ以上、４１０ｎｍ以下であるレーザ光を照射可能なレーザ光源と、開口数が０．８５である対物レンズとを備え、長さが１２０ｎｍ以下の上記記録マークが形成された情報記録層が複数積層された光情報記録媒体を再生する光情報記録媒体再生装置において、再生レーザ入射面に最も近い情報記録層を再生する再生レーザパワーが、再生レーザ入射面から最も遠い情報記録層を再生する再生レーザパワーより小さく、かつ、該光情報記録媒体再生装置が必要とする再生信号特性を満たす最小の再生レーザパワー以上に設定されていることを特徴としている。
【０１５５】
また、本発明に係る光情報記録媒体再生方法は、光学系の解像限界より短い長さの記録マークを含む情報記録層が複数積層された光情報記録媒体を再生する光情報記録媒体再生装置の制御方法において、再生レーザ入射面に最も近い情報記録層を再生するとき、再生レーザパワーを、再生レーザ入射面から最も遠い情報記録層を再生する再生レーザパワーより小さく、かつ、該光情報記録媒体再生装置が必要とする再生信号特性を満たす最小の再生レーザパワー以上に設定することを特徴としている。
【０１５６】
上記構成によれば、上記光情報記録媒体の、再生レーザ入射面に最も近い情報記録層を再生するときは、再生レーザ入射面から最も遠い情報記録層を再生するときの再生レーザパワーよりも小さい再生レーザパワーで、かつ、光情報記録媒体再生装置が必要とする再生信号特性を満たす最小の再生レーザパワー以上に再生レーザパワーを設定し、レーザ光を照射し、再生レーザ入射面に最も近い情報記録層を再生する。そのため、不適切に高い再生レーザパワーで、再生レーザ入射面に最も近い情報記録層を再生することを防ぎ、さらに、繰り返しの再生に伴う反射率や再生信号特性の悪化を防ぐことができる。それゆえ、上記光情報記録媒体のような多層超解像光情報記録媒体を、安定して再生することが可能となる。
【０１５７】
ここで、従来の光情報記録媒体再生装置においては、ｎ（ｎは２以上の整数）層の情報記録層を有する多層情報記録媒体を再生する際に、再生レーザ入射面から１番目の情報記録層である第１情報記録層を再生するときも、ｎ番目の情報記録層である第ｎ情報記録層を再生するときも、同じ再生レーザパワーを採用していた。例えば、従来の２層光情報記録媒体を再生するときは、第１情報記録層と、第２情報記録層を再生するときに、再生レーザパワーは同じであった。
【０１５８】
しかし、本発明の発明者は、２層超解像光情報記録媒体の第１情報記録層と、第２情報記録層を再生するときに、同じ再生レーザパワーで再生すると、第１情報記録層の記録マークが劣化し、その結果、第１情報記録層に記録されている情報の再生ができなくなることを見出した。
【０１５９】
そして、上記の構成は、Ｂｌｕ−ｒａｙ  Ｄｉｓｃ（登録商標）再生装置において採用される青色レーザのようなレーザ光であって、波長が４００ｎｍ以上、４１０ｎｍ以下であるレーザ光を照射可能なレーザ光源と、開口数０．８５の対物レンズとからなる光学系を有する光情報記録媒体再生装置にも、適用することができる。なお、上記開口数は、±０．０２程度の誤差を生じたとしても、本発明の作用効果にはほとんど影響が無い。すなわち、開口数は、０．８３以上、０．８７以下であればよい。
【０１６０】
また、１２０ｎｍより短い記録マークを含む複数の記録マークが形成された情報記録層や、１２０ｎｍより短い記録マークを含む複数の記録マークが形成ことにより情報が記録される情報記録層等を再生するときにも適用することができる。
【０１６１】
なお、上記光情報記録媒体は、情報が記録済みであり、読み取り専用の光情報記録媒体（再生専用型）であってもよいし、情報が一部記録済みであり、追記可能な光情報記録媒体であって、かつ、前記情報が複数の情報記録層の少なくとも１層に形成された光情報記録媒体（記録再生型）であってもよい。
【０１６２】
さらに、本発明に係る光情報記録媒体再生装置は、再生レーザ入射面に最も近い情報記録層を再生する再生レーザパワーが、さらに、再生レーザ入射面から最も遠い情報記録層を再生する再生レーザパワーの０．９５倍以下に設定され、かつ、再生レーザ入射面に最も近い情報記録層を再生するときに、該光情報記録媒体再生装置が必要とする再生信号特性を満たす最小の再生レーザパワーの１．０５倍以上に設定されていることを特徴とする。
【０１６３】
一般的に、再生時に再生品質を左右する要因として、例えば、光情報記録媒体再生装置のレーザ自身の製造ばらつきや、光情報記録媒体再生装置の光学系の組み立てばらつき、光情報記録媒体の製造ばらつき、再生時の環境変化等が挙げられる。
【０１６４】
上記の要因に対処するため、実用的な再生信号特性を得るための再生レーザパワー範囲である再生レーザパワーマージンが必要となる。すなわち、再生レーザパワーマージンは再生レーザパワーの変動に対する余裕を表す。一般的に、再生レーザパワーマージンの量は、光情報記録媒体再生装置の光学系の、例えば光ピックアップの精度が高いほど小さくなるが、媒体ばらつき等が存在するため、理論値の上限値および下限値に対して、５％以上は必要である。
【０１６５】
このように、再生レーザパワーマージンの理論値の上限値および下限値に対して、５％以上の余裕をもたせた構成とすることで、さらに、光情報記録媒体再生装置のレーザ光源自身の製造ばらつきや、光情報記録媒体再生装置の光学系の組み立てばらつき、光情報記録媒体の製造ばらつきや、再生時の環境の変化等に影響されることがなくなる。
【０１６６】
さらに、本発明に係る光情報記録媒体再生装置は、或る情報記録層から、他の情報記録層へフォーカスを層間移動させる際に、上記再生レーザ入射面に最も遠い情報記録層を再生するための再生レーザパワーよりも小さい再生レーザパワーを維持しながらフォーカスを移動させることを特徴とする。
【０１６７】
上記構成によれば、再生レーザ入射面から遠い情報記録層と、再生レーザ入射面に最も近い情報記録層との間において、フォーカスを層間移動させるときも、不適切に高い再生レーザパワーで、再生レーザ入射面に最も近い情報記録層を再生することを防ぎ、さらに、繰り返しの再生に伴う反射率や再生信号特性の悪化を防ぐことができる。
【０１６８】
また、上記構成において、さらに、再生レーザパワーを上記再生レーザ入射面に近い情報記録層を再生するための再生レーザパワーに維持しながらフォーカスを移動させることが望ましい。
【０１６９】
このとき、フォーカスの層間移動において、再生レーザパワーの変更は１度で済むため効率が良く、また、フォーカスがかからないということを防ぐことができる。
【０１７０】
さらに、本発明に係る光情報記録媒体再生装置は、上記情報記録層の積層数が２であるときは、上記再生レーザ入射面に近い情報記録層から再生することを特徴とする。
【０１７１】
仮に、光情報記録媒体再生装置が、情報記録層の積層数が２である二層光情報記録媒体の再生を開始するときに、再生レーザ入射面から遠い情報記録層から再生するものとする。このとき、誤って、再生レーザ入射面から遠い情報記録層の再生レーザパワーで、再生レーザ入射面に近い情報記録層を再生してしまった場合には、再生レーザ入射面に近い情報記録層を不可逆的に再生不可としてしまうおそれがある。
【０１７２】
上記構成によれば、不適切に大きな再生レーザパワーで、再生レーザ入射面から近い情報記録層に照射することを防ぐことができ、再生レーザ入射面から近い情報記録層の再生特性を劣化させることがない。
【０１７３】
以上のように、上記課題を解決するために、本発明に係る光情報記録媒体再生装置は、光学系の解像限界より短い長さの記録マークを含む情報記録層が複数積層された光情報記録媒体を再生する光情報記録媒体再生装置において、再生レーザ入射面に最も近い情報記録層を再生する再生レーザパワーが、再生レーザ入射面から最も遠い情報記録層を再生する再生レーザパワーより小さく、かつ、該光情報記録媒体再生装置が必要とする再生信号特性を満たす最小の再生レーザパワー以上に設定されていることを特徴としている。
【０１７４】
また、上記課題を解決するために、本発明に係る光情報記録媒体再生装置は、光学系として、波長が４００ｎｍ以上、４１０ｎｍ以下であるレーザ光を照射可能なレーザ光源と、開口数が０．８３以上、０．８７以下である対物レンズとを備え、長さが１２０ｎｍ以下の上記記録マークが形成されることにより情報が記録される情報記録層が複数積層された光情報記録媒体を再生する光情報記録媒体再生装置において、再生レーザ入射面に最も近い情報記録層を再生する再生レーザパワーが、再生レーザ入射面から最も遠い情報記録層を再生する再生レーザパワーより小さく、かつ、該光情報記録媒体再生装置が必要とする再生信号特性を満たす最小の再生レーザパワー以上に設定されていることを特徴としている。
【０１７５】
また、上記課題を解決するために、本発明に係る光情報記録媒体再生装置の制御方法は、光学系の解像限界より短い長さの記録マークを含む情報記録層が複数積層された光情報記録媒体を再生する光情報記録媒体再生装置の制御方法において、再生レーザ入射面に最も近い情報記録層を再生するとき、再生レーザパワーを、再生レーザ入射面から最も遠い情報記録層を再生する再生レーザパワーより小さく、かつ、該光情報記録媒体再生装置が必要とする再生信号特性を満たす最小の再生レーザパワー以上に設定することを特徴としている。
【０１７６】
上記構成によれば、上記光情報記録媒体の、再生レーザ入射面に最も近い情報記録層を再生するときは、再生レーザ入射面から最も遠い情報記録層を再生するときの再生レーザパワーよりも小さい再生レーザパワーで、かつ、光情報記録媒体再生装置が必要とする再生信号特性を満たす最小の再生レーザパワー以上に再生レーザパワーを設定し、レーザ光を照射し、再生レーザ入射面に最も近い情報記録層を再生する。そのため、不適切に高い再生レーザパワーで、再生レーザ入射面に最も近い情報記録層を再生することを防ぎ、さらに、繰り返しの再生に伴う反射率や再生信号特性の悪化を防ぐことができる。それゆえ、上記光情報記録媒体のような多層超解像光情報記録媒体を、安定して再生することが可能となる。
【０１７７】
ここで、従来の光情報記録媒体再生装置においては、ｎ（ｎは２以上の整数）層の情報記録層を有する多層情報記録媒体を再生する際に、再生レーザ入射面から１番目の情報記録層である第１情報記録層を再生するときも、ｎ番目の情報記録層である第ｎ情報記録層を再生するときも、同じ再生レーザパワーを採用していた。例えば、従来の２層光情報記録媒体を再生するときは、第１情報記録層と、第２情報記録層を再生するときに、再生レーザパワーは同じであった。
【０１７８】
しかし、本発明の発明者は、２層超解像光情報記録媒体の第１情報記録層と、第２情報記録層を再生するときに、同じ再生レーザパワーで再生すると、第１情報記録層の記録マークが劣化し、その結果、第１情報記録層に記録されている情報の再生ができなくなることを見出した。
【０１７９】
そして、上記の構成は、Ｂｌｕ−ｒａｙ  Ｄｉｓｃ（登録商標）再生装置において採用される青色レーザのようなレーザ光であって、波長が４００ｎｍ以上、４１０ｎｍ以下であるレーザ光を照射可能なレーザ光源と、開口数０．８５の対物レンズとからなる光学系を有する光情報記録媒体再生装置にも、適用することができる。なお、上記開口数は、±０．０２程度の誤差を生じたとしても、本発明の作用効果にはほとんど影響が無い。すなわち、開口数は、０．８３以上、０．８７以下であればよい。
【０１８０】
また、１２０ｎｍより短い記録マークを含む複数の記録マークが形成された情報記録層や、１２０ｎｍより短い記録マークを含む複数の記録マークが形成ことにより情報が記録される情報記録層等を再生するときにも適用することができる。
【０１８１】
なお、上記光情報記録媒体は、情報が記録済みであり、読み取り専用の光情報記録媒体（再生専用型）であってもよいし、情報が一部記録済みであり、追記可能な光情報記録媒体であって、かつ、前記情報が複数の情報記録層の少なくとも１層に形成された光情報記録媒体（記録再生型）であってもよい。
【０１８２】
また、本発明は上述した実施の形態に限定されるものではなく、請求項に示した範囲で種々の変更が可能である。すなわち、請求項に示した範囲で適宜変更した技術的手段を組み合わせて得られる実施形態についても本発明の技術的範囲に含まれる。
【産業上の利用可能性】
【０１８３】
多層に積層された光情報記録媒体を超解像再生する光情報記録媒体再生装置等に広く好適に利用できる。
【符号の説明】
【０１８４】
１０    光情報記録媒体再生装置
１２    偏光ビームスプリッタ（光学系）
１３    レーザ光源（光学系）
１５    検出器（光学系）
１９    制御部
２１    光ピックアップ（光学系）
２６    パワー制御部
１００    光情報記録媒体
１００ａ  超解像光情報記録媒体
１００ｄ  ２層超解像光情報記録媒体（光情報記録媒体）
１００ｅ  ２層超解像光情報記録媒体（光情報記録媒体）
１０１    透光層
１０２    第１情報記録層（再生レーザ入射面に最も近い情報記録層）
１０３    中間層
１０４    第２情報記録層（再生レーザ入射面から最も遠い情報記録層）
１０５    基板
【図１】
2010225277.tif 000003
【図２】
2010225277.tif 000004
【図３】
2010225277.tif 000005
【図４】
2010225277.tif 000006
【図５】
2010225277.tif 000007
【図６】
2010225277.tif 000008
【図７】
2010225277.tif 000009